(57)【要約】【課題】  使用時に筐体の温度が過度に上昇することを抑制することが可能な表示装置を提供する。【解決手段】  光源１１の発光現象に基づいて熱Ｈが発生すると、その熱Ｈが熱輸送ユニット２０Ａ（例えばヒートパイプを含む）により強制的に領域Ｆ１から領域Ｆ２へ輸送されたのちに冷却ユニット２０Ｂ（例えばラジエータ）において冷却される。熱輸送ユニット２０Ａにより領域Ｆ１から領域Ｆ２へ熱Ｈが強制的に輸送されるため、その熱Ｈが領域Ｆ１に集中しにくくなると共に、熱輸送ユニット２０Ａにより領域Ｆ２へ輸送された熱Ｈが冷却ユニット２０Ｂにおいて冷却されるため、その熱Ｈが筐体の内部に残留しにくくなる。これにより、光源１１の発光現象に基づいて発生した熱Ｈが筐体に伝導しにくくなる。【選択図】    図３
2005338282.tif 000002
【特許請求の範囲】
【請求項１】
筐体に、映像を表示する光学機構と、この光学機構を冷却する冷却機構と、を備えた表示装置であって、
前記光学機構が、光を放出するために発光する光源を含んで構成されており、
前記冷却機構が、
前記光源の配設領域に対応する第１の領域を含む領域に配設され、その光源の発光現象に基づいて発生した熱を前記第１の領域からその第１の領域とは異なる第２の領域へ輸送する熱輸送手段と、
前記第２の領域に配設され、前記熱輸送手段により輸送された熱を冷却する冷却手段と、を含んで構成されている
ことを特徴とする表示装置。
【請求項２】
前記熱輸送手段が、前記第１の領域を含む領域において、前記光源と前記筐体との間の領域に配設されている
ことを特徴とする請求項１記載の表示装置。
【請求項３】
前記熱輸送手段が、前記第１の領域から前記第２の領域へ延在して配設され、ヒートパイプおよびヒートレーンのうちの少なくとも１種を含む熱輸送デバイスを含んで構成されており、
その熱輸送デバイスが、前記第２の領域において前記冷却手段に連結されている
ことを特徴とする請求項１記載の表示装置。
【請求項４】
前記熱輸送手段が、さらに、前記第１の領域に配設され、前記光源の発光現象に基づいて発生した熱を受熱する受熱板を含んで構成されており、
前記熱輸送デバイスが、前記第１の領域において前記受熱板に連結されている
ことを特徴とする請求項３記載の表示装置。
【請求項５】
前記冷却手段が、ラジエータを含んで構成されている
ことを特徴とする請求項１記載の表示装置。
【請求項６】
さらに、前記冷却機構により冷却された熱を吸気側から排気側へ向けて前記筐体の外部へ排熱する排熱ファンを備えた
ことを特徴とする請求項１記載の表示装置。
【請求項７】
前記冷却機構のうちの前記冷却手段が、前記排熱ファンの前記吸気側に配置されている
ことを特徴とする請求項６記載の表示装置。
【請求項８】
前記冷却機構のうちの前記冷却手段が、前記排熱ファンの前記排気側に配置されている
ことを特徴とする請求項６記載の表示装置。
【請求項９】
前記冷却機構のうちの前記冷却手段が、前記排熱ファンと全体的に重なるように配置されている
ことを特徴とする請求項６記載の表示装置。
【請求項１０】
前記冷却機構のうちの前記冷却手段が、前記排熱ファンと部分的に重なるように配置されている
ことを特徴とする請求項６記載の表示装置。
【請求項１１】
さらに、空冷用の風を吸気側から排気側へ向けて前記光学機構のうちの前記光源へ供給することにより、その光源の温度を制御する空冷ファンを備えた
ことを特徴とする請求項１記載の表示装置。
【請求項１２】
前記冷却機構のうちの前記冷却手段が、前記空冷ファンの前記吸気側に配置されている
ことを特徴とする請求項１１記載の表示装置。
【請求項１３】
前記冷却機構のうちの前記冷却手段が、前記空冷ファンの前記排気側に配置されている
ことを特徴とする請求項１１記載の表示装置。
【請求項１４】
さらに、前記第１の領域から前記第２の領域へ延在して配設され、前記空冷ファンから供給された前記空冷用の風を前記冷却手段へ導くための誘導ダクトを備えた
ことを特徴とする請求項１１記載の表示装置。
【請求項１５】
さらに、前記誘導ダクトを冷却する補助冷却機構を備え、
前記補助冷却機構が、前記第１の領域を含む領域に配設され、前記空冷ファンから供給された前記空冷用の風に基づく熱を前記第１の領域から前記第２の領域へ輸送する補助熱輸送手段を含んで構成されている
ことを特徴とする請求項１４記載の表示装置。
【請求項１６】
前記補助熱輸送手段が、前記第１の領域から前記第２の領域へ延在して配設され、ヒートパイプおよびヒートレーンのうちの少なくとも１種を含む熱輸送デバイスを含んで構成されており、
前記熱輸送デバイスが、前記第１の領域において前記誘導ダクトに連結されていると共に、前記第２の領域において前記冷却機構のうちの前記冷却手段に連結されている。
ことを特徴とする請求項１５記載の表示装置。
【請求項１７】
前記光学機構は、前記光源から放出された光を液晶パネルを利用して映像用の光に変換し、その映像用の光を投射することにより映像を表示するものである
ことを特徴とする請求項１記載の表示装置。
【発明の詳細な説明】
【技術分野】
【０００１】
本発明は、映像を表示する表示装置に係り、特に、映像表示用の光学機構を冷却する冷却機構を備えた表示装置に関する。
【背景技術】
【０００２】
近年、映像を表示する表示装置として、多様な表示機構を有するものが知られている。この表示装置として、最近では、例えば、被投射体（例えばスクリーン）に映像用の光を投射することにより映像を表示する投射型表示装置（いわゆるプロジェクタ）が普及しつつある。
【０００３】
このプロジェクタは、主に、筐体に、映像を表示する光学機構を備えている。この光学機構は、光を放出するために発光する光源として、例えば高圧水銀ランプに代表されるＵＨＰ（ultra high pressure ）ランプを搭載している。この種の光源は、一般に、高強度の安定な光を放出可能な観点において利点を有しているが、光利用効率が低いために発熱量が大きい観点において問題点を抱えている。
【０００４】
プロジェクタに搭載される光源に関しては、一般に、発光性能および動作信頼性を確保するために、その光源の主要部の温度、すなわち発光源としてのバーナの温度（いわゆるバーナ温度）を所定の範囲内となるように制御する必要がある。この場合には、光源のうちのバーナ以外の部分に関して、光源が発光して発熱した際に熱的な耐久性（いわゆる耐熱性）が確保されるように冷却される必要もある。
【０００５】
上記した技術的事情を考慮して、プロジェクタに搭載される光源に関しては、一般に、シロッコファンなどの空冷ファンを使用して光源に空冷用の風（空冷風）を供給することにより、その光源のバーナ温度を制御している。この場合には、特に、空冷ファンを使用して光源のバーナ温度を制御すると共に光源のうちのバーナ以外の部分を冷却するために、軸流ファンなどの排熱ファンを使用して筐体の内部に滞留する熱を排熱している。
【０００６】
この排熱ファンを使用した排熱機構に関して要求される排熱性能は、一般に、排熱量（排熱風量）＝Ｖ（ｍ3 ／分）、光源の発熱量＝Ｑ（Ｗ）、空気の比重＝σ（ｋｇ／ｍ3 ）、空気の定圧比熱＝Ｃｐ（Ｊ／ｋｇ・℃）、空冷ファンから供給される空冷風（バーナ温度の制御に使用される前の空冷風）の温度＝Ｔ１（℃）、ならびに排熱風（バーナ温度の制御に使用されたのちの空冷風）の温度＝Ｔ２（℃）とすると、排熱量Ｖは以下の式１で表される。
Ｖ＝Ｑ／（σ×Ｃｐ×（Ｔ２−Ｔ１））・・・式１
すなわち、式１に基づけば、例えば、発熱量Ｑ＝１２０Ｗ，温度Ｔ１＝３０℃，温度Ｔ２＝６０℃の場合に必要な排熱量Ｖは、０．２ｍ3 ／分と算出される。
【０００７】
この光源のバーナ温度を制御することが可能なプロジェクタに関しては、既にいくつかの構成例が提案されている。具体的には、例えば、金属製のランプハウスに光源を収納することにより、その光源が発光して発熱した際に発生した熱を金属の高熱伝導特性を利用して排熱するプロジェクタが知られている（例えば、特許文献１参照。）。
【特許文献１】特開２００４−０１２８２７号公報
【発明の開示】
【発明が解決しようとする課題】
【０００８】
ところで、上記した光源の発熱現象と共にプロジェクタを使用するユーザの現実的な使用態様を併せて考慮すると、例えば、プロジェクタの使用時において光源が発熱したとしても、その光源の発熱現象の影響を受けて筐体の温度が過度に上昇しないのが好ましい。なぜなら、ユーザがプロジェクタを使用する際には、そのプロジェクタを操作するためにユーザが筐体に触れる可能性が多分に考えられるからである。しかしながら、従来のプロジェクタでは、筐体の内部に光源が収納されている構造的要因に起因して、プロジェクタの使用時において筐体の温度が過度に上昇しやすいという問題があった。したがって、プロジェクタの使用に伴うユーザの利便性および安全性を考慮すれば、プロジェクタの使用時において筐体の温度が過度に上昇することを抑制することが可能な技術の確立が急務である。
【０００９】
なお、プロジェクタの使用時において筐体の温度が過度に上昇することを防止する方策としては、例えば、光源が発光した際に発生した熱が筐体に伝わりにくくするために、その光源と筐体との間の距離（いわゆるクリアランス）を大きく設計したり、あるいは排熱ファンの排熱量を増加させることにより排熱効率を向上させるために、大口径の排熱ファンを使用する手法が考えられる。しかしながら、これらの方策を採用した場合には、プロジェクタの使用時において筐体の温度が過度に上昇することを抑制し得る一方で、クリアランスや排熱ファンの大型化に起因してプロジェクタが大型化してしまうため、近年要望が高まっているプロジェクタの小型化を実現することが困難になる。したがって、プロジェクタの使用時において筐体の温度が過度に上昇することを抑制することが可能な技術を確立する場合には、そのプロジェクタの小型化を実現することも重要である。
【００１０】
本発明はかかる問題点に鑑みてなされたもので、その第１の目的は、使用時に筐体の温度が過度に上昇することを抑制することが可能な表示装置を提供することにある。
【００１１】
また、本発明の第２の目的は、小型化を実現することが可能な表示装置を提供することにある。
【課題を解決するための手段】
【００１２】
本発明に係る表示装置は、筐体に、映像を表示する光学機構と、この光学機構を冷却する冷却機構とを備えたものであり、光学機構が、光を放出するために発光する光源を含んで構成されており、冷却機構が、光源の配設領域に対応する第１の領域を含む領域に配設され、その光源の発光現象に基づいて発生した熱を第１の領域からその第１の領域とは異なる第２の領域へ輸送する熱輸送手段と、第２の領域に配設され、熱輸送手段により輸送された熱を冷却する冷却手段とを含んで構成されているものである。
【００１３】
本発明に係る表示装置では、光学機構が映像を表示する際に発熱すると、その光学機構が冷却機構により冷却される。具体的には、光源が光を放出するために発光すると、その光源の発光現象に基づいて発生した熱が熱輸送手段により第１の領域から第２の領域へ輸送されたのち、その熱が冷却手段により冷却される。この場合には、光源の発光現象に基づいて発生した熱が熱輸送手段により第１の領域から第２の領域へ輸送されるため、その熱が第１の領域に集中しにくくなると共に、熱輸送手段により第２の領域へ輸送された熱が冷却手段により冷却されるため、その熱が筐体の内部に残留しにくくなる。これにより、光源の発光現象に基づいて発生した熱が筐体に伝導しにくくなるため、表示装置の使用時において筐体の温度が過度に上昇しにくくなる。しかも、熱輸送手段による強制的な熱輸送作用を利用して第１の領域から第２の領域へ熱が輸送されることに基づき、その熱の輸送効率が向上するため、表示装置の使用時において筐体の温度が過度に上昇することを抑制する上で、光源と筐体との間のクリアランスを大きく設計したり、あるいは大口径の排熱ファンを使用する必要がない。これにより、筐体が小型化される。
【発明の効果】
【００１４】
本発明に係る表示装置によれば、光源の発光現象に基づいて発生した熱が熱輸送手段により第１の領域から第２の領域へ輸送されたのちに冷却手段により冷却されることに基づき、その熱が第１の領域に集中しにくくなると共に筐体の内部に残留しにくくなるため、使用時に筐体の温度が過度に上昇することを抑制することができる。また、熱輸送手段による強制的な熱輸送作用を利用することにより熱の輸送効率が向上することに基づき、使用時において筐体の温度が過度に上昇することを抑制する上で光源と筐体との間のクリアランスを大きく設計したり、あるいは大口径の排熱ファンを使用する必要がないため、小型化を実現することができる。
【発明を実施するための最良の形態】
【００１５】
以下、本発明の実施の形態について、図面を参照して詳細に説明する。
【００１６】
まず、図１〜図３を参照して、本発明の一実施の形態に係る表示装置の構成について説明する。図１は表示装置の断面構成（ＸＹ面に沿った断面構成）を模式的に表し、図２は図１に示した表示装置の主要部の断面構成（ＸＺ面に沿った断面構成）を拡大して模式的に表し、図３は図１に示した表示装置の主要部の斜視構成を拡大して具体的に表している。なお、以下では、図１に示したＹ軸方向における下側を「前側」または上側を「後側」と表記すると共に、図２および図３に示したＺ軸方向における上側を「上側」または下側を「下側」として表記する。この表記は、後述する図４以降でも同様である。
【００１７】
本実施の形態に係る表示装置は、例えば、被投射体（例えばスクリーン）に映像用の光を投射することにより映像を表示する投射型表示装置（いわゆるプロジェクタ）であり、より具体的には、光源から放出された光を液晶の駆動機構（液晶パネル）を利用して映像用の光に変換する液晶プロジェクタである。
【００１８】
この表示装置は、例えば、図１〜図３に示したように、筐体１に、映像を表示する光学機構１０と、この光学機構１０を冷却する冷却機構２０とを備えている。特に、表示装置は、例えば、図２および図３に示したように、上記した光学機構１０および冷却機構２０と共に、筐体１の内部に滞留する熱を排熱する（熱気を排気する）排熱ファン３０と、光学機構１０のうちの後述する光源１１の温度を制御する空冷ファン４０とを併せて備えている。
【００１９】
筐体１は、上記した光学機構１０、冷却機構２０、排熱ファン３０および空冷ファン４０を含む一連の光学機器や光学部品を収納するためのものである。この筐体１のうち、前面には、例えば、図１に示したように、光学機構１０のうちの後述する光学ユニット１０Ｂに対応する箇所に映像投射用の投射窓１Ｐが設けられていると共に、上面には、例えば、図２に示したように、排熱ファン３０の配設領域に対応する箇所に排熱用の排熱口１Ｅが設けられている。なお、図２では詳細に示していないが、排熱口１Ｅは、例えば、異物の浸入を防止しつつ排熱可能とするために格子窓状構造を有している。
【００２０】
光学機構１０は、例えば、図１に示したように、光発生源としての光源ユニット１０Ａと、その光源ユニット１０Ａから放出された光Ｌ１を映像用の光Ｌ２に変換する光学ユニット１０Ｂとを含んで構成されている。
【００２１】
光源ユニット１０Ａは、例えば、光Ｌ１として白色光を放出するものであり、その光Ｌ１を放出するために発光する光源１１を含んで構成されている。この光源１１は、例えば、高圧水銀ランプなどのＵＨＰ（ultra high pressure ）ランプであり、発光部としてのバーナ１１１と、集光用のリフレクタ１１２とを含んで構成されている。なお、光源ユニット１０Ａは、例えば、上記した光源１１と共に、集光用の各種レンズ群や偏光用の偏光板などの図示しない他の構成要素も含んで構成されている。参考までに、図１では、冷却機構２０、排熱ファン３０および空冷ファン４０の図示を省略しており、図２および図３では、光学ユニット１０Ｂの図示を省略している。
【００２２】
光学ユニット１０Ｂは、例えば、光源ユニット１０Ａから放出された光Ｌ１の光路上に配置された３つのミラー、すなわち光源ユニット１０Ａから遠い順に配置された反射ミラー１２Ｒおよびダイクロイックミラー１２Ｇ，１２Ｂと、反射ミラー１２Ｒおよびダイクロイックミラー１２Ｂにそれぞれ対応して配置された反射ミラー１３，１４と、色合成用の色合成装置１５と、映像投射用の投射レンズ１６とを含んで構成されている。
【００２３】
ダイクロイックミラー１２Ｇ，１２Ｂは、光源ユニット１０Ａから放出された光Ｌ１の光路に対してミラー面が傾くように配置されることにより波長分離用のハーフミラーとして機能するものであり、その光Ｌ１のうちの特定の色（波長）の光を選択的に分離して反射させると共に残りの色（波長）の光を選択的に透過させるものである。具体的には、ダイクロイックミラー１２Ｂは、光Ｌ１のうちの青色（Ｂ；Blue）の光Ｌ１Ｂを選択的に反射させることにより反射ミラー１４を経由して色合成装置１５へ導くと共に、残りの光を選択的に透過させることによりダイクロイックミラー１２Ｇへ導くようになっている。また、ダイクロイックミラー１２Ｇは、ダイクロイックミラー１２Ｂを経由して導かれた光Ｌ１のうちの緑色（Ｇ；Green ）の光Ｌ１Ｇを選択的に反射させることにより色合成装置１５へ導くと共に、残りの光を選択的に透過させることにより反射ミラー１２Ｒへ導くようになっている。なお、反射ミラー１２Ｒは、ダイクロイックミラー１２Ｇを経由して導かれた光、すなわち赤色（Ｒ；Red ）の光Ｌ１Ｒを反射させることにより反射ミラー１３を経由して色合成装置１５へ導くようになっている。
【００２４】
色合成装置１５は、光源ユニット１０Ａから放出された光Ｌ１、より具体的には色の３原色に対応する上記した３色（Ｒ，Ｇ，Ｂ）の光Ｌ１Ｒ，Ｌ１Ｇ，Ｌ１Ｂを合成することにより映像用の光Ｌ２に変換するものである。この色合成装置１５は、例えば、反射ミラー１３、ダイクロイックミラー１２Ｇおよび反射ミラー１４にそれぞれ対応して配置された映像パターン形成用の３つの液晶パネル、すなわち液晶パネル１７Ｒ，１７Ｇ，１７Ｂと、これらの液晶パネル１７Ｒ，１７Ｇ，１７Ｂにより周囲を囲まれるように配置された色合成用の色合成プリズム（４Ｐプリズム）１８とを含んで構成されている。すなわち、色合成装置１５では、略立方体構造を有する色合成プリズム１８の前面に投射レンズ１６が対向配置されていると共に、残りの左側面、後面および右側面にそれぞれ液晶パネル１７Ｒ，１７Ｇ，１７Ｂが対向配置されている。
【００２５】
投射レンズ１６は、色合成装置１５において生成された映像用の光Ｌ２を投射することにより映像を表示するものである。筐体１に設けられた投射窓１Ｐは、投射レンズ１６の配設領域に対応して配置されている。
【００２６】
冷却機構２０は、例えば、図２および図３に示したように、筐体１の延在方向（Ｘ軸方向）において二分割された領域、すなわち光源１１の配設領域に対応する領域Ｆ１（第１の領域）および排熱ファン３０の配設領域に対応する領域Ｆ２（第２の領域）のうち、その領域Ｆ１を含む領域に配設され、光源ユニット１０Ａ（光源１１）の発光現象に基づいて発生した熱Ｈ（図３において破線で表示）を領域Ｆ１から領域Ｆ２へ輸送する熱輸送ユニット２０Ａと、領域Ｆ２に配設され、熱輸送ユニット２０Ａにより輸送された熱Ｈを冷却する冷却ユニット２０Ｂとを含んで構成されている。
【００２７】
熱輸送ユニット２０Ａは、光源１１の発光現象に基づいて発生した熱Ｈが筐体１へ伝導することを抑制するために、上記したように、その熱Ｈを領域Ｆ１から領域２へ輸送する熱輸送手段である。この熱輸送ユニット２０Ａは、例えば、光源１１から所定の間隔を隔てて配設されており、具体的には、領域Ｆ１において光源１１と筐体１との間の領域（光源１１の上面側領域）に配設されている。特に、熱輸送ユニット２０Ａは、例えば、図３に示したように、光源１１の発光現象に基づいて発生した熱Ｈを受熱する受熱板２１と、この受熱板２１において受熱された熱Ｈを領域Ｆ１から領域Ｆ２へ輸送する熱輸送デバイス２２とを含んで構成されている。なお、受熱板２１において受熱された熱Ｈが筐体１へ伝導することを防止するためには、その受熱板２１が筐体１から離間されているのが好ましい。
【００２８】
受熱板２１は、例えば、高熱伝導性の金属などにより構成されている。この受熱板２１は、例えば、光源１１と共に領域Ｆ１に配設されており、光源１１の上面にほぼ正対するように配置されている。
【００２９】
熱輸送デバイス２２は、熱伝導性の材料を使用した自然的な熱伝導現象を利用して熱を輸送するものではなく、熱伝導性のデバイスを使用した強制的な熱伝導現象を利用して熱を輸送するものである。具体的には、熱輸送デバイス２２は、例えば、ヒートパイプおよびヒートレーンのうちの少なくとも１種を含んで構成されており、ここではヒートパイプにより構成されている。この熱輸送デバイス２２は、例えば、領域Ｆ１から領域Ｆ２へ延在して配設されている。特に、熱輸送デバイス２２は、例えば、領域Ｆ１において受熱板２１に組み込まれることにより連結され、すなわち受熱板２１から熱輸送デバイス２２へ熱Ｈが伝導可能になっていると共に、領域Ｆ２において冷却ユニット２０Ｂに組み込まれることにより連結され、すなわち熱輸送デバイス２２から冷却ユニット２０Ｂへ熱Ｈが伝導可能になっている。
【００３０】
冷却ユニット２０Ｂは、熱輸送デバイス２０Ａにより領域Ｆ１から領域Ｆ２へ輸送された熱Ｈが筐体１の内部に残留することを抑制するために、その熱Ｈを冷却する冷却手段である。この冷却ユニット２０Ｂは、例えば、冷却用のラジエータを含んで構成されている。特に、冷却ユニット２０Ｂは、例えば、熱輸送デバイス２０Ａにより輸送された熱Ｈに限らず、その熱Ｈと共に、筐体１の内部に滞留する内気Ａ（図３において二点鎖線で表示）、ならびに空冷ファン４０から光源１１へ供給される後述する空冷風Ｗ（図３において一点鎖線で表示）の双方に基づく熱も併せて冷却するようになっている。
【００３１】
排熱ファン３０は、筐体１の内部に熱Ｈが残留することを抑制するために、その熱Ｈを排熱するものである。この排熱ファン３０は、例えば、軸流ファンにより構成されており、ファンの回転運動を利用して吸気側Ｓ１（排熱ファン３０の下側）から排気側Ｓ２（排熱ファン３０の上側）へ向けて排熱口１Ｅを通じて筐体１の外部へ熱Ｈを排熱するようになっている。特に、排熱ファン３０は、例えば、上記したように、熱Ｈと共に、内気Ａおよび空冷風Ｗに基づく熱も併せて排熱するようになっている。ここでは、例えば、図２および図３に示したように、領域Ｆ２において、冷却機構２０のうちの冷却ユニット２０Ｂが排熱ファン３０と全体的に重なるように配置されており、特に、冷却ユニット２０Ｂが排熱ファン３０の排気側Ｓ２に配置されている。
【００３２】
空冷ファン４０は、光源１１のうちのバーナ１１１の温度（いわゆるバーナ温度）を制御するために、供給口４１を通じて空冷用の風（空冷風）Ｗを光源１１へ供給するものであり、領域Ｆ１に配設されている。この空冷ファン４０は、例えば、シロッコファンにより構成されており、ファンの回転運動を利用して吸気側Ｓ３（空冷ファン４０の上側）から排気側Ｓ４（空冷ファン４０の横側（供給口４１側））へ向けて空冷風Ｗを供給するようになっている。この空冷ファン４０は、例えば、図３に示したように、光源１１の側方に配置されており、すなわち領域Ｆ１において光源１１に隣接配置されている。なお、空冷ファン４０は、光源１１へ空冷風Ｗを供給することにより、例えば、上記したように光源１１のバーナ温度を制御する機能と共に、その光源１１のうちのバーナ１１１以外の部分を冷却する機能も担っている。
【００３３】
次に、図１〜図３を参照して、表示装置の動作について説明する。
【００３４】
この表示装置では、図１〜図３に示したように、筐体１の内部に収納された光学機構１０において、光源ユニット１０Ａの光源１１から光Ｌ１が放出されると、その光Ｌ１を光学ユニット１０Ｂが映像用の光Ｌ２に変換する。これにより、筐体１に設けられた投射窓１Ｐを通じて映像用の光Ｌ２がスクリーンに投射されるため、そのスクリーンに映像が表示される。
【００３５】
より具体的には、図１に示したように、光源１１が発光することにより白色の光Ｌ１が放出されると、その光Ｌ１が反射ミラー１２Ｒおよびダイクロイックミラー１２Ｇ，１２Ｂにおいて３色の光、すなわち反射ミラー１２Ｒを経由した赤色の光Ｌ１Ｒ、ダイクロイックミラー１２Ｇを経由した緑色の光Ｌ１Ｇ、ならびにダイクロイックミラー１２Ｂを経由した青色の光Ｌ１Ｂに分離されたのち、それらの光Ｌ１Ｒ，Ｌ１Ｇ，Ｌ１Ｂが３つの液晶パネル１７Ｒ，１７Ｇ，１７Ｂを経由して色合成プリズム１８に導かれることにより色合成されるため、色合成装置１５において白色の光Ｌ１が映像用の光Ｌ２に変換される。
【００３６】
特に、光源１１から光Ｌ１が放出される際には、その光源１１の発光現象に基づいて熱Ｈが発生するため、その熱Ｈに起因して筐体１の温度が過度に上昇することを抑制するために、冷却機構２０（熱輸送ユニット２０Ａ，冷却ユニット２０Ｂ）により熱Ｈが冷却される。
【００３７】
より具体的には、例えば、図２および図３に示したように、光源１１の発光現象に基づいて熱Ｈ（図３において破線で表示）が発生すると、その熱Ｈが熱輸送ユニット２０Ａの受熱板２１において受熱されたのちに熱輸送デバイス２２により領域Ｆ１から領域Ｆ２へ輸送されるため、冷却ユニット２０Ｂにより冷却される。この冷却ユニット２０Ｂにおいて冷却された熱Ｈは、排熱ファン３０の排熱作用を利用して、筐体１に設けられた排熱口１Ｅを通じて筐体１の外部へ排熱される。この場合には、特に、排熱ファン３０の排熱作用を利用して、上記した熱Ｈと共に、筐体１の内部に滞留している内気Ａおよび空冷風Ｗに基づく熱が吸気側Ｓ１から排気側Ｓ２へ強制的に誘導されることにより併せて排熱される。
【００３８】
また、光源１１から光Ｌ１が放出される際には、その光源１１のバーナ温度を制御するために、空冷ファン４０から光源１１のうちのバーナ１１１近傍へ向けて空冷風Ｗが供給される。
【００３９】
より具体的には、例えば、図２および図３に示したように、空冷ファン４０により吸気側Ｓ３から吸い込まれた内気が供給口４１を通じて排気側Ｓ４へ誘導されることにより空冷風Ｗとして光源１１のうちのバーナ１１１近傍へ供給されると、その空冷風Ｗに基づく空冷作用を利用して光源１１のバーナ温度が制御される。この光源１１のバーナ温度を制御するために使用された空冷用の風Ｗは、光源１１の発熱現象に起因して熱せられたのち、排熱ファン３０の排熱機構を利用して吸気側Ｓ１から排気側Ｓ２へ強制的に誘導されるため、上記した熱Ｈと共に併せて排熱口１Ｅを通じて筐体１の外部へ排熱される。
【００４０】
本実施の形態に係る表示装置では、映像を表示する際に熱Ｈを発生させる光学機構１０（光源１１）を冷却するために、強制的な熱伝導現象を利用して熱Ｈを領域Ｆ１から領域Ｆ２へ輸送する熱輸送ユニット２０Ａ（受熱板２１，熱輸送デバイス２２）と、この熱輸送ユニット２０Ａにより輸送された熱Ｈを冷却する冷却ユニット２０Ｂとを含んで構成された冷却機構２０を備えるようにしたので、上記したように、光源１１の発光現象に基づいて発生した熱Ｈが、熱輸送ユニット２０Ａにより領域Ｆ１から領域Ｆ２へ輸送されたのちに冷却ユニット２０Ｂにより冷却される。この場合には、光源１１の発光現象に基づいて発生した熱Ｈが熱輸送ユニット２０Ａにより領域Ｆ１から領域Ｆ２へ輸送されるため、その熱Ｈが領域Ｆ１に集中しにくくなると共に、熱輸送ユニット２０Ａにより領域Ｆ２へ輸送された熱Ｈが冷却ユニット２０Ｂにより冷却されるため、その熱Ｈが筐体１の内部に残留しにくくなる。これにより、冷却機構２０を備えていない場合と比較して、光源１１の発光現象に基づいて発生した熱Ｈが筐体１に伝導しにくくなるため、表示装置の使用時において筐体１の温度が過度に上昇することが抑制される。しかも、この場合には、上記したように、熱輸送ユニット２０Ａによる強制的な熱伝導現象を利用して熱Ｈが領域Ｆ１から領域Ｆ２へ輸送されることに基づき、単に熱伝導性の材料を使用した自然的な熱伝導現象を利用して熱Ｈを輸送する場合と比較して熱Ｈの輸送効率が著しく向上するため、その熱Ｈに起因して筐体１の温度が過度に上昇することが極めて効果的に抑制される。したがって、本実施の形態では、表示装置の使用時において筐体１の温度が過度に上昇することを抑制することができる。
【００４１】
特に、本実施の形態では、排熱用の排熱ファン３０を備え、その排熱ファン３０の排熱作用を利用して冷却ユニット２０Ｂにより冷却された熱Ｈを排熱口１Ｅを通じて筐体１の外部へ排熱するようにしたので、その熱Ｈが筐体１の内部に残留しにくくなる。したがって、本実施の形態では、排熱ファン３０の排熱作用を利用して熱Ｈが筐体１の内部に残留しくくなる観点においても、筐体１の過度な温度上昇の抑制に寄与することができる。
【００４２】
この場合には、さらに、排熱ファン３０の排熱作用を利用して、上記した熱Ｈと共に、筐体１の内部に滞留している内気Ａ、ならびに空冷ファン４０から光源１１へ供給された空冷風Ｗに基づく熱も併せて排熱するようにしたので、内気Ａおよび空冷風Ｗが熱を帯びたとしても、その熱を帯びた内気Ａおよび空冷風Ｗが筐体１の内部に残留しにくくなる。したがって、本実施の形態では、排熱ファン３０の排熱作用を利用して熱Ｈと共に内気Ａおよび空冷風Ｗに基づく熱も併せて筐体１の内部に残留しにくくなる観点においても、筐体１の過度な温度上昇の抑制に寄与することができる。
【００４３】
また、本実施の形態では、図２に示したように、筐体１の上面に排熱口１Ｅを設けるようにしたので、その排熱口１Ｅを筐体１の側面に設ける場合と比較して、排熱口１Ｅの排熱面積が十分に得られる。なぜなら、表示装置の小型化に応じて筐体１の薄型化が要望されている近年の技術的事情を考慮すれば、排熱口１Ｅを形成可能な面積は、筐体１の側面に設ける場合よりも上面に設ける場合においてより大きくなるからである。したがって、本実施の形態では、排熱口１Ｅの排熱面積が確保されるため、この観点においても筐体１の過度な温度上昇の抑制に寄与することができる。
【００４４】
また、本実施の形態では、上記した熱輸送ユニット２０Ａによる強制的な熱輸送作用を利用して熱Ｈの熱輸送効率が向上することに基づき、表示装置の使用時において筐体１の温度が過度に上昇することを抑制する上で、光源１１と筐体１との間のクリアランスを大きく設計したり、あるいは大口径の排熱ファン３０を使用する必要がないため、筐体１が小型化される。したがって、本実施の形態では、表示装置の使用時において筐体１の温度が過度に上昇することを抑制しつつ、その表示装置を小型化することができる。
【００４５】
なお、本実施の形態では、図３に示したように、光源１１の上面側領域のみに冷却機構２０（熱輸送ユニット２０Ａ，冷却ユニット２０Ｂ）を配設するようにしたが、必ずしもこれに限られるものではなく、その冷却機構２０の配設領域は自由に変更可能である。すなわち、例えば、光源１１の周辺領域のうち、上記した光源１１の上面側領域と共に、他の３つの面側領域、すなわち下面側領域および２つの側面側領域のうちの少なくとも１つの領域に併せて冷却機構２０を配設（増設）するようにしてもよい。具体的に図面を参照して一例を挙げれば、例えば、図４に示したように、光源１１の上面側領域と共に、他の３つの面側領域のうちの下面側領域に併せて冷却機構２０を配設するようにしてもよいし、あるいは図５に示したように、光源１１の上面側領域と共に、他の３つの面側領域の全て（光源１１の下面側領域および２つの側面側領域の全て）に併せて冷却機構２０を配設するようにしてもよい。これらのいずれの場合においても、冷却機構２０の配設数が増加することにより冷却効率が向上するため、表示装置の使用時において筐体１の過度な温度上昇をより効果的に抑制することができる。特に、冷却機構２０を増設する場合には、例えば、表示装置の使用時において筐体１の温度が過度に上昇することを効果的に抑制するために、光源１１の上面側領域と同様に光源１１と筐体１との間に位置する下面側領域に冷却機構２０を配設するのが好ましい。なお、図４および図５に示した表示装置に関する上記以外の構成は、図３に示した場合と同様である。
【００４６】
また、本実施の形態では、図３に示したように、バーナ１１１およびリフレクタ１１２を含んで構成された光源１１を備えるようにしたが、必ずしもこれに限られるものではなく、その光源１１の構成は自由に変更可能である。すなわち、例えば、バーナ１１１およびリフレクタ１１２を含んで構成された光源１１に代えて、バーナ１１１およびリフレクタ１１２と共に他の構成要素を含んで構成された他の構造様式の光源１１も使用可能である。具体的に図面を参照して一例を挙げれば、例えば、図６に示したように、バーナ１１１およびリフレクタ１１２と共に、光放出用のガラス板１１３が前面に設けられ、かつ空冷用の通風口１１４が周囲に設けられた略矩形型の筒状構造を有する防爆ケース１１５を含んで構成された光源１１を使用するようにしてもよいし、あるいは表示装置（筐体１）の小型化等の理由から光路方向を変更させる必要がある場合には、例えば、図７に示したように、バーナ１１１およびリフレクタ１１２と共に、光放出用のガラス板１１６が端面に設けられ、かつ光路方向を変化させるための全反射ミラー１１７が内部に収納された略Ｌ字型の筒状構造を有する防爆ケース１１８を含んで構成された光源１１を使用するようにしてもよい。これらのいずれの光源１１を備えた場合においても、上記実施の形態と同様の効果を得ることができる。
【００４７】
また、本実施の形態では、図２に示したように、受熱板２１を筐体１から離間させることにより、それらの受熱板２１と筐体１との間に空間を設けるようにしたが、この場合には、例えば、図８に示したように、受熱板２１と筐体１との間に設けられた空間に断熱材５０を配設するようにしてもよい。この断熱材５０は、受熱板２１において受熱された熱が筐体１へ伝導することを防止するものであり、例えば、ポリウレタンフォームなどの多孔質材料により構成されている。この断熱材５０を配設する場合には、例えば、受熱板２１の配設範囲よりも大きい範囲に渡って延在するように断熱材５０を配設するのが好ましい。この場合には、受熱板２１において熱が受熱された際に、その熱が断熱材５０の存在に基づいて筐体１へ伝導しにくくなると共に、これに応じて熱が熱輸送デバイス２２により領域Ｆ１から領域Ｆ２へ輸送されやすくなるため、表示装置の使用時において筐体１の過度な温度上昇をより効果的に抑制することができる。なお、図８に示した表示装置に関する上記以外の構成は、図２に示した場合と同様である。
【００４８】
ここで、確認までに説明しておくと、断熱材５０の配設領域は必ずしも図８に示した場合に限らず、その断熱材５０の配設領域は自由に変更可能である。具体的に図面を参照して一例を挙げれば、例えば、図９に示したように、受熱板２１と筐体１との間に設けられた空間に断熱材５０を配設した上、さらに、光源１１を挟んで受熱板２１と反対側の領域において、その光源１１と筐体１との間に設けられた空間に断熱材５０を併せて配設するようにしてもよい。この場合においても、断熱材５０を利用することにより、表示装置の使用時において筐体１の過度な温度上昇をより効果的に抑制することができる。なお、図９に示した表示装置に関する上記以外の構成は、図２に示した場合と同様である。
【００４９】
また、本実施の形態では、図２に示したように、筐体１の上面に排熱口１Ｅを設けるようにしたが、必ずしもこれに限られるものではなく、その筐体１に排熱口１Ｅを設ける箇所は自由に変更可能である。具体的に図面を参照して一例を挙げれば、例えば、図１０に示したように、筐体１の上面に代えて側面に排熱口１Ｅを設けるようにしてもよい。この場合には、筐体１の側面に設けられた排熱口１Ｅを通じて排熱可能とするために、排熱方向が横向きになるように排熱ファン３０の向きを変更すると共に、その横向きに設置された排熱ファン３０と正対するように冷却ユニット２０Ｂの向きを併せて変更するのが好ましい。この冷却ユニット２０Ｂの向きは、例えば、その冷却ユニット２０Ｂに組み込まれている熱輸送デバイス２２を所定の形状（例えばＬ字型）に折り曲げることにより変更可能である。この場合においても、排熱ファン３０の排熱作用および冷却ユニット２０Ｂの冷却作用を利用して排熱口１Ｅを通じて排熱可能なため、上記実施の形態とほぼ同様の効果を得ることができる。ただし、筐体１の側面に排熱口１Ｅを設ける場合には、上記したように、筐体１の厚さによっては排熱口１Ｅの排熱面積が十分に得られない可能性があるため、その排熱口１Ｅの排熱面積を確保し得るか否かに関して設計段階で考慮する必要がある。なお、図１０に示した表示装置に関する上記以外の構成は、図２に示した場合と同様である。
【００５０】
また、本実施の形態では、図３に示したように、冷却機構２０のうちの冷却ユニット２０Ｂを排熱ファン３０と全体的に重なるように配置し、すなわち冷却ユニット２０Ｂが排熱ファン３０と正対するようにしたが、必ずしもこれに限られるものではなく、例えば、冷却機構２０の冷却能力によっては、図１１に示したように、冷却ユニット２０Ｂを排熱ファン３０と部分的に重なるように配置し、すなわち排熱ファン３０をＹ軸方向において意図的にずらすことにより冷却ユニット２０Ｂが排熱ファン３０に正対しないようにしてもよい。この場合には、冷却機構２０において熱Ｈを冷却する上で熱輸送デバイス２２の熱輸送能力を確保することができる。その理由は、以下の通りである。
【００５１】
すなわち、例えば、冷却機構２０において熱Ｈを冷却可能とするために熱輸送デバイス２２としてヒートパイプを使用した場合には、そのヒートパイプの熱輸送原理によれば、ヒートパイプにおいて一端側と他端側との間に十分な温度差が生じ、すなわちヒートパイプの温度が受熱板２１の配設領域（領域Ｆ１）において相対的に高くなる一方で冷却ユニット２０Ｂの配設領域（領域Ｆ２）において相対的に低くなる必要がある。しかしながら、冷却ユニット２０Ｂが排熱ファン３０と全体的に重なるように配置されている場合には、例えば、光源１１のバーナ温度を制御するために使用された結果として熱を帯びた空冷風Ｗが排熱ファン３０の排熱作用を利用して冷却ユニット２０Ｂを経由して排熱される際に、その冷却ユニット２０Ｂを経由する空冷風Ｗに基づく熱の熱量が多すぎると、その空冷風Ｗに基づく熱に起因して冷却ユニット２０Ｂの温度が過度に上昇する結果、領域Ｆ１，Ｆ２間においてヒートパイプに十分な温度差が生じなくなるため、そのヒートパイプが領域Ｆ１から領域Ｆ２へ熱Ｈを輸送しにくくなる。この点に関して、例えば、図１１に示したように、冷却ユニット２０Ｂを排熱ファン３０と部分的に重なるように配置すれば、冷却ユニット２０Ｂを排熱ファン３０と全体的に重なるように配置する場合とは異なり、排熱ファン３０の排熱作用を利用して冷却ユニット２０Ｂを経由する空冷風Ｗの風量が減少し、すなわちヒートパイプの熱輸送機構に悪影響を及ぼす空冷風Ｗに基づく熱量が減少する結果、領域Ｆ１，Ｆ２間においてヒートパイプに十分な温度差が生じるため、そのヒートパイプが領域Ｆ１から領域Ｆ２へ熱Ｈを安定に輸送可能となる。したがって、冷却ユニット２０Ｂを排熱ファン３０と部分的に重なるように配置することにより、冷却機構２０において熱Ｈを冷却する上で熱輸送デバイス２２の熱輸送能力を確保することができるのである。なお、図１１に示した表示装置に関する上記以外の構成は、図３に示した場合と同様である。
【００５２】
また、本実施の形態では、冷却機構２０のうちの冷却ユニット２０Ｂと排熱ファン３０との間の配置関係として、図３に示したように、冷却ユニット２０Ｂを排熱ファン３０の排気側Ｓ２に配置するようにしたが、必ずしもこれに限られるものではなく、例えば、図１２に示したように、熱輸送デバイス２２をクランク状に折り曲げることにより冷却ユニット２０Ｂの位置を受熱板２１の位置よりも低くし、その冷却ユニット２０Ｂの上方に排熱ファン３０を配置させることにより、冷却ユニット２０Ｂを排熱ファン３０の吸気側Ｓ１に配置するようにしてもよい。この場合においても、上記実施の形態と同様の効果を得ることができる。なお、図１２に示した表示装置に関する上記以外の構成は、図３に示した場合と同様である。
【００５３】
ここで、確認までに説明しておくと、図１２に示した場合には、熱輸送デバイス２２がクランク状に折り曲げられることにより冷却ユニット２０Ｂの位置が受熱板２１の位置よりも低くなるため、ヒートパイプを使用して熱輸送デバイス２２を構成した場合には、そのヒートパイプの熱輸送原理に起因して、場合によっては熱輸送デバイス２２において熱Ｈを円滑に輸送しにくくなる可能性がある。したがって、熱輸送デバイス２２において熱Ｈを円滑に輸送することを考慮すれば、図１２に示した場合には、受熱板２１と冷却ユニット２０Ｂとの間の位置関係に応じて熱輸送能力が影響を受けるヒートパイプに代えて、受熱板２１と冷却ユニット２０Ｂとの間の位置関係に応じて熱輸送能力が影響を受け得ないヒートレーンを使用して熱輸送デバイス２２を構成するのが好ましい。
【００５４】
また、本実施の形態では、図３に示したように、冷却機構２０のうちの冷却ユニット２０を排熱ファン３０と共に領域Ｆ２に配置するようにしたが、必ずしもこれに限られるものではなく、その冷却ユニット２０の配置位置は自由に変更可能である。具体的には、例えば、冷却ユニット２０を空冷ファン４０と共に領域Ｆ１に配置するようにしてもよい。この場合には、例えば、図１３に示したように、Ｚ軸を中心として冷却機構２０を回転させることにより、冷却ユニット２０Ｂを空冷ファン４０の上方に配置し、すなわち冷却ユニット２０Ｂを空冷ファン４０の吸気側Ｓ３に配置するようにしてもよいし、あるいは図１４に示したように、Ｚ軸を中心として冷却機構２０を回転させた上、熱輸送デバイス２２を折り曲げることにより、冷却ユニット２０Ｂを空冷の側方（供給口４１に対応する箇所）に配置し、すなわち冷却ユニット２０Ｂを空冷ファン４０の排気側Ｓ４に配置するようにしてもよい。これらのいずれの場合においても、上記実施の形態と同様の効果を得ることができる。なお、図１３および図１４に示した表示装置に関する上記以外の構成は、図３に示した場合と同様である。
【００５５】
また、本実施の形態では、図３に示したように、光源１１のバーナ温度を制御するために使用された空冷風Ｗに基づく熱を排熱ファン３０の排熱作用を利用して排熱するようにしているが、この場合には、空冷風Ｗに基づく熱の排熱効率を向上させるために、例えば、図１５に示したように、光源１１の側方、具体的には光源１１を挟んで空冷ファン４０と反対側の領域に誘導ダクト６０を設けるようにしてもよい。この誘導ダクト６０は、空冷風Ｗを光源１１近傍から排熱ファン３０近傍まで導くためのものであり、領域Ｆ１から領域Ｆ２へ延在して配設されている。この誘導ダクト６０の立体的構造は、空冷風Ｗを誘導可能な筒状構造を有している限り、自由に設計可能である。この場合には、光源１１のバーナ温度を制御するために使用された空冷風Ｗが誘導ダクト６０を通じて排熱ファン３０まで円滑に導かれるため、その排熱ファン３０の排熱作用を利用して空冷風Ｗに基づく熱を効率よく排熱することができる。なお、図１５に示した表示装置に関する上記以外の構成は、図３に示した場合と同様である。
【００５６】
この場合には、さらに、例えば、図１６に示したように、誘導ダクト６０を経由して排熱ファン３０へ導かれる空冷風Ｗに基づく熱を事前に（冷却ユニット２０Ｂにおいて冷却される前に）冷却するために、その誘導ダクト６０に補助冷却機構７０を設けてもよい。この補助冷却機構７０は、誘導ダクト６０を経由して排熱ファン３０へ導かれる空冷風Ｗに基づく熱を冷却するために、その誘導ダクト６０を冷却するためのものであり、例えば、ヒートパイプおよびヒートレーンのうちの少なくとも１種を含んで構成されており、ここではヒートパイプにより構成されている。特に、補助冷却機構７０は、例えば、誘導ダクト６０に沿って領域Ｆ１から領域Ｆ２へ延在して配設されており、一端側において誘導ダクト６０に組み込まれることにより連結され、すなわち誘導ダクト６０から補助冷却機構７０へ空冷風Ｗに基づく熱が伝導可能になっていると共に、他端側において冷却ユニット２０Ｂに組み込まれることにより連結され、すなわち補助冷却機構７０から冷却ユニット２０Ｂへ空冷風Ｗに基づく熱が伝導可能になっている。この場合には、熱を帯びた空冷風Ｗが誘導ダクト６０を経由して排熱ファン３０へ導かれる際に、その空冷風Ｗに基づく熱が補助冷却機構７０により冷却されるため、その空冷風Ｗに基づく熱が筐体１の内部に残留しにくくなる。したがって、空冷風Ｗに基づく熱が滞留することに起因して筐体１の温度が過度に上昇することを抑制することができる。なお、図１６に示した表示装置に関する上記以外の構成は、図３に示した場合と同様である。
【００５７】
以上、実施の形態を挙げて本発明を説明したが、本発明は上記実施の形態に限定されず、その実施の形態と同様の効果を得ることが可能な限りにおいて自由に変形可能である。具体的には、例えば、上記実施の形態では、光源１１の発光現象に基づいて発生した熱Ｈを領域Ｆ１から領域Ｆ２へ輸送するために、ヒートパイプやヒートレーンを使用して熱輸送デバイス２２を構成するようにしたが、必ずしもこれに限られるものではなく、領域Ｆ１から領域Ｆ２へ熱Ｈを円滑に効率よく輸送することが可能な限り、その熱輸送デバイス２２の構成は自由に変更可能である。この熱輸送デバイス２２の他の構成例としては、例えば、パイプ内に冷却水を封入して強制的に循環させる循環冷却系などが挙げられる。この場合においても、上記実施の形態と同様の効果を得ることができる。
【００５８】
また、上記実施の形態では、本発明の表示装置をプロジェクタに適用する場合について説明したが、必ずしもこれに限られるものではなく、例えば、プロジェクタと同様に、発光現象に基づいて発熱する光源を備えた他の機器に適用することが可能である。この他の機器に本発明の表示装置を適用した場合においても、上記実施の形態と同様の効果を得ることができる。
【産業上の利用可能性】
【００５９】
本発明に係る表示装置は、映像表示用の光学機構と共にその光学機構を冷却する冷却機構を備えた例えばプロジェクタなどの表示装置に適用することが可能である。
【図面の簡単な説明】
【００６０】
【図１】本発明の一実施の形態に係る表示装置の断面構成（ＸＹ面に沿った断面構成）を模式的に表す断面図である。
【図２】図１に示した表示装置の主要部の断面構成（ＸＺ面に沿った断面構成）を拡大して模式的に表す断面図である。
【図３】図１に示した表示装置の主要部の斜視構成を拡大して具体的に表す斜視図である。
【図４】表示装置の構成に関する第１の変形例を表す斜視図である。
【図５】表示装置の構成に関する第２の変形例を表す斜視図である。
【図６】光源の構成に関する変形例を表す斜視図である。
【図７】光源の構成に関する他の変形例を表す斜視図である。
【図８】表示装置の構成に関する第３の変形例を表す断面図である。
【図９】表示装置の構成に関する第４の変形例を表す断面図である。
【図１０】表示装置の構成に関する第５の変形例を表す断面図である。
【図１１】表示装置の構成に関する第６の変形例を表す斜視図である。
【図１２】表示装置の構成に関する第７の変形例を表す斜視図である。
【図１３】表示装置の構成に関する第８の変形例を表す斜視図である。
【図１４】表示装置の構成に関する第９の変形例を表す斜視図である。
【図１５】表示装置の構成に関する第１０の変形例を表す斜視図である。
【図１６】表示装置の構成に関する第１１の変形例を表す斜視図である。
【符号の説明】
【００６１】
１…筐体、１Ｅ…排熱口、１Ｐ…投射窓、１０…光学機構、１０Ａ…光源ユニット、１０Ｂ…光学ユニット、１１…光源、１２Ｂ，１２Ｇ…ダイクロイックミラー、１２Ｒ，１３，１４…反射ミラー、１５…色合成装置、１６…投射レンズ、１７Ｂ，１７Ｇ，１７Ｒ…液晶パネル、１８…色合成プリズム、２０…冷却機構、２０Ａ…熱輸送ユニット、２０Ｂ…冷却ユニット、２１…受熱板、２２…熱輸送デバイス、３０…排熱ファン、４０…空冷ファン、４１…供給口、５０…断熱材、６０…誘導ダクト、７０…補助冷却機構、１１１…バーナ、１１２…リフレクタ、１１３，１１６…ガラス板、１１４…通風口、１１５，１１８…防爆ケース、１１７…全反射ミラー、Ａ…内気、Ｆ１，Ｆ２…領域、Ｈ…熱、Ｌ１…光、Ｌ１Ｂ…青色の光、Ｌ１Ｇ…緑色の光、Ｌ１Ｒ…赤色の光、Ｌ２…映像用の光、Ｓ１，Ｓ３…吸気側、Ｓ２，Ｓ４…排気側、Ｗ…空冷風。
【図１】
2005338282.tif 000003
【図２】
2005338282.tif 000004
【図３】
2005338282.tif 000005
【図４】
2005338282.tif 000006
【図５】
2005338282.tif 000007
【図６】
2005338282.tif 000008
【図７】
2005338282.tif 000009
【図８】
2005338282.tif 000010
【図９】
2005338282.tif 000011
【図１０】
2005338282.tif 000012
【図１１】
2005338282.tif 000013
【図１２】
2005338282.tif 000014
【図１３】
2005338282.tif 000015
【図１４】
2005338282.tif 000016
【図１５】
2005338282.tif 000017
【図１６】
2005338282.tif 000018